(57)【特許請求の範囲】
【請求項１】
短尺板状の敷目部の両側縁を折り返して断面略窪状に形成した係止舌部を有する敷目板と、該敷目板の両側端に、長手方向に沿って合成樹脂製の防水片を形成し、該防水片を敷目板の側端に嵌挿する係合溝と外装材の裏面に接触する防水ヒレとから形成したことを特徴とする外装材の接続材。
【発明の詳細な説明】
【０００１】
【発明の属する技術分野】
本発明は横葺き用屋根材、あるいは横張り用壁材等の外装材を用いて屋根、壁体を形成した際の、外装材同士の接続材に関するものである。
【０００２】
【従来の技術】
従来、横葺き用屋根材、横張り用外壁材等の外装材を施工した際の接続材としては、敷目板とカバー材とにより外装材の側端部を上下でサンドイッチして施工する接続材等がある。
【０００３】
【発明が解決しようとする課題】
しかしながら、これらの接続材は特に屋根材に適応した場合、積雪地方での雪落としの際にカバー材を外装材の長手方向にスライドさせてしまい継手部分が外部に露出してしまう危険性があった。
【０００４】
【課題を解決するための手段】
本発明はこのような欠点を除去するため、敷目部の両側縁を折り返して断面略窪状に形成した係止舌部を有する敷目板と、敷目板の両側端に、長手方向に沿って合成樹脂製の防水片を形成し、該防水片を敷目板の側端に嵌挿する係合溝と外装材の裏面に接触する防水ヒレとから形成した外装材の接続材とし、別途カバー材を使用せずに施工でき、しかも安価に形成でき、防水性に優れた外装材の接続材を提案するものである。
【０００５】
【発明の実施の形態】
以下に図面を用いて本発明に係る外装材の接続材について詳細に説明する。図１〜図３は外装材の接続材Ａ（以下、単に接続材Ａという）の代表的な実施例を示す説明図であり、図１（ａ）は全体を示す斜視図、図１（ｂ）は図１（ａ）のイ−イ線単面図、図２は図１（ａ）のロ部分の断面図に相当するものである。
【０００６】
また、接続材Ａは大別して、図３（ａ）に示す敷目板Ｂ、図３（ｂ）に示す防水片Ｃの２つの部材から形成されているものである。
【０００７】
すなわち、敷目板Ｂは例えば金属板（カラー鋼板、銅板、アルミニウム板、チタン板、ステンレス板、サンドイッチ鋼板、クラッド鋼板等）等、もしくは合成樹脂材（プラスチック）等をロール成形、プレス成形、押出成形、等によって形成したもの、あるいは窯業系素材を所定形状に成形して形成したものである。
【０００８】
また、敷目板Ｂの形状としては図１（ｂ）および図３（ａ）に示すように、短尺板状の敷目部１と、敷目部１の両側縁を折り返して断面略窪状に形成した係止舌部２を形成したものであり、さらに、図に示すように必要に応じて敷目部１の下辺を裏面側に屈曲した馳部３、および敷目部１の上辺を表面側に屈曲して形成した雨返部４とから形成した、短尺板状物である。
【０００９】
敷目部１は外装材Ｄから流れてきた雨水等を速やかに外部に排出する、雨樋（流水路）として機能するものであり、係止舌片２は出合い袋状とした断面略窪状のもので後記する外装材Ｄの両側縁に設けた連結片１７を嵌合、係止して、左右の外装材Ｄ同士を連結する部分である。
【００１０】
なお、図では係止舌片２の馳部３側を斜めに切り欠いて、後記する外装材Ｄの両側縁に設けた連結片１７をスライドして嵌合しやすくしたものである。
【００１１】
防水片Ｃは図３（ｂ）に示すように、合成樹脂材を押出成形、射出成形、プレス成形等行い、所定形状に形成したものであり、ポリエチレン、ポリプロピレン、ポリスチレン、ポリカーボネイト、塩化ビニール樹脂、スチロール樹脂、メタクリル樹脂、ポリウレタン樹脂、フェノール樹脂、ユリア樹脂（尿素樹脂）、メラミン樹脂、フッ素樹脂、ケイ素樹脂、繊維強化プラスチック等の一種よりなる。
【００１２】
防水片Ｃは敷目板Ｂの敷目部１の両側端に配設するものであり、万一の際の雨返しとして機能するものである。その形状としては、敷目部１に嵌挿し、一体化するための係合溝５と、敷目部１の表側に突出させた、弾性と密着性を有する防水ヒレ６とから形成したものである。
【００１３】
外装材Ｄは、例えば図４（ａ）に示す幅方向の断面図、図４（ｂ）に示す表面から見た斜視図、図４（ｂ）のハ−ハ線の断面図であり、長手方向の断面図である図４（ｃ）、図５に示す裏面からみた斜視図に示すようなものであり、例えば金属板（カラー鋼板、銅板、アルミニウム板、チタン板、ステンレス板、サンドイッチ鋼板、クラッド鋼板等）等をロール成形、プレス成形、押出成形、等によって形成したもの、あるいは窯業系素材、もしくは合成樹脂材（プラスチック）、等である。なお、外装材Ｅは外壁として使用することもでき、その他に金属系サイディング材、窯業系サイディング材、中空セメント板、ＡＬＣ、等を使用することもできるものである。
【００１４】
さらに説明すると、外装材Ｄは長尺板状であり、その幅方向一側縁を化粧面７の下側、すなわち、裏面８側に略コ字状に屈曲して段差化粧面９と差込縁１０とを形成した雄型連結部１１としたもので、化粧面７と段差化粧面９と差込縁１０とから略コ字状の引っかけ溝１２を形成したものである。
【００１５】
また、化粧面７の他端には化粧面７の上側に屈曲して断面略Ｕ字状に形成した前記差込縁１０と嵌合する嵌合溝１３と、嵌合溝１３の先端をコ字状に折り返した嵌合縁１４と、嵌合縁１４の先端を下方に屈曲すると共に化粧面７と略平行で外方にＬ字状に屈曲して延長した固定片１５を形成した雌型連結部１６を形成したものである。
【００１６】
さらに、図４（ｃ）（図４（ｂ）のハ−ハ線一部切り欠き端面図）に示すように化粧面７の長手方向の両側端縁にはそれぞれ裏面８側にハゼ状に屈曲した連結片１７を形成したものである。
【００１７】
なお、接続材Ａにより連結される外装材Ｄの形状としては、図４、図５に示す外装材Ｄ以外にも、基本的には連結片１７が存在する外装材Ｄであればどのような形状でも良いものであり、これに限られるものではない。
【００１８】
次ぎに、図６、図７を用いて、接続材Ａを用いた施工について説明する。まず、図６（ａ）に示すように、片側の外装材Ｄをスライドさせて、図６（ｂ）に示すように、外装材Ｄの連結片１７を接続材Ａの係止舌片２に係止する。そして、同様にもう一方の外装材Ｄをスライドさせて係合し、図６（ｃ）のように左右の外装材Ｄ同士を、接続材Ａにて連結するものである。
【００１９】
この際、図６（ｃ）のニ−ニ線断面図である図７（ａ）に示すように、外装材Ｄの裏面８と防水片Ｃの防水ヒレ６が弾性を利用して密着することにより、防水性と気密性を向上するものである。また、敷目板Ｂが外装材Ｄの裏面８に嵌合されるように形成されるために、敷目板Ｂが上下左右に移動することがない。
【００２０】
さらに、図７（ｂ）に示すように、上段の外装材Ｄの差込縁１０を下段の外装材Ｄの嵌合溝１３に挿入し、上下方向を接続するものである。このような工程を軒先から棟（あるいは壁際）まで行うことにより、施工を完了するものである。なお、軒先にはスタータ、唐草、端部にはケラバキャップ、棟には棟包み、隅棟カバー、谷樋、壁押さえ、等の役物を使用するものである。勿論、必要部分にはパッキング材、コーキング材を使用するものである。
【００２１】
以上説明したのは本発明に係る外装材の接続材の一実施例であり、図８〜図１４に示すような各部材を組み合わせた接続材Ａとしたりすることができる。
【００２２】
すなわち、図８〜図１３は敷目板Ｂの変形例であり、図８（ａ）は馳部３を切除した例、図８（ｂ）は雨返部４を切除した例、図８（ｃ）馳部３、雨返部４の両方を切除した敷目板Ｂの例を示すものである。
【００２３】
図９（ａ）は係止舌片２の雨返部３側を斜めに切り欠いた例、図９（ｂ）は係止舌片２の先端部にテーパー部１８を形成した例、図９（ｃ）は係止舌片２の途中に切り欠き部１９を形成した例を示すものである。
【００２４】
図１０（ａ）は係止舌片２に段差部２０を形成した例、図１０（ｂ）は係止舌片２の途中に凸条２１を形成した例、図１０（ｃ）は敷目部１に軟質のパッキング材２２を一体に装着した例を示すものである。
【００２５】
図１１（ａ）は敷目部１に凸条２１を形成した例、図１１（ｂ）は敷目部１にあやめ折り部２３を形成して強度の向上と雨返しによる防水性の向上を図った敷目板Ｂの例である。
【００２６】
図１２（ａ）、および図１２（ｂ）は、それぞれのニ−ニ先の端面図である図１３に示すように、テーパー部１８、切り欠き部１９、段差部２０、凸状２１、軟質パッキング材２２、あやめ折り部２３を組み合わせて形成した敷目板Ｂの例を示すものである。
【００２７】
図１４は防水片Ｃの変形例を示すものであり、便宜上、敷目板Ｂを一点鎖線で示したものである。すなわち、図１４（ａ）、（ｂ）は係合溝５を形成せず、敷目部１上に直接接着して形成した例、図１４（ｃ）は敷目部１の途中にも防水片Ｃを形成した例、図１４は連続した防水ヒレ６を形成した例を示すものである。勿論、これらの各構成を組み合わせた接続材Ａとすることができる。
【００２８】
【発明の効果】
以上説明したように、本発明に係る外装材の接続材によれば、係止舌片が外装材の裏面に嵌合されるように形成されるために、接続材が上下左右に移動することがない。防水ヒレが外装材の裏面と密着し防水性が確実である。カバーの施工がないので施工性がよく、コスト安でしかも施工後の納まりがよい。等の特徴、効果がある。
【図面の簡単な説明】
【図１】本発明に係る外装材の接続材の代表的一例を示す説明図である。
【図２】本発明に係る外装材の接続材の代表的一例を示す説明図である。
【図３】本発明に係る外装材の接続材の代表的一例を示す説明図である。
【図４】外装材の代表的一例を示す説明図である。
【図５】外装材の代表的一例を示す説明図である。
【図６】外装材の接続材の使用例を示す説明図である。
【図７】外装材の接続材の使用例を示す説明図である。
【図８】敷目板のその他の例を示す説明図である。
【図９】敷目板のその他の例を示す説明図である。
【図１０】敷目板のその他の例を示す説明図である。
【図１１】敷目板のその他の例を示す説明図である。
【図１２】敷目板のその他の例を示す説明図である。
【図１３】敷目板のその他の例を示す説明図である。
【図１４】防水片のその他の例を示す説明図である。
【符号の説明】
Ａ  外装材の接続材
Ｂ  敷目板
Ｃ  防水片
Ｄ  外装材
１  敷目部
２  係止舌片
３  馳部
４  雨返部
５  係合溝
６  防水ヒレ
７  化粧面
８  裏面
９  段差化粧面
１０  差込縁
１１  雄型連結部
１２  引っかけ溝
１３  嵌合溝
１４  嵌合縁
１５  固定片
１６  雌型連結部
１７  連結片
１８  テーパー部
１９  切り欠き部
２０  段差部
２１  凸条
２２  軟質パッキング材
２３  あやめ折り部
【図１】
0004155633.tif 000002
【図２】
0004155633.tif 000003
【図３】
0004155633.tif 000004
【図４】
0004155633.tif 000005
【図５】
0004155633.tif 000006
【図６】
0004155633.tif 000007
【図７】
0004155633.tif 000008
【図８】
0004155633.tif 000009
【図９】
0004155633.tif 000010
【図１０】
0004155633.tif 000011
【図１１】
0004155633.tif 000012
【図１２】
0004155633.tif 000013
【図１３】
0004155633.tif 000014
【図１４】
0004155633.tif 000015